(57)【要約】  ユーザ端末に遅延なく確実に配信情報を表示することができる情報配信システムを提供する。情報配信システム１は、配信サーバ２と、配信サーバ２と通信網を介して接続される移動端末５とを含む。配信サーバ２は、表示エリアを有する広告情報と、広告情報の表示エリアよりも広域である広告情報の配信領域とを対応付けて保存する配信エリア情報記憶部３と、移動端末５から移動端末５の現在地情報を受信し、配信エリア情報記憶部３から取得した現在地情報に対応する広告情報を、現在地情報を送信した移動端末５に配信する配信広告判定部４とを含む。移動端末５は、移動端末５の現在地情報を測位し配信サーバ２へ現在地情報を送信する現在地測位部６と、配信サーバ２から配信された広告情報を、広告情報内の表示エリアと広告情報の受信後に現在地測位部６が測位した現在地情報とに基づき表示するか判定する広告表示判定部７とを含む。
2014103213.tif 000002
【特許請求の範囲】
【請求項１】
配信サーバと、
前記配信サーバと通信網を介して接続される移動端末とを含み、
前記配信サーバは、
表示エリアを有する広告情報と、広告情報の表示エリアよりも広域である広告情報の配信領域とを対応付けて保存する配信エリア情報記憶部と、
前記移動端末から前記移動端末の現在地情報を受信し、前記配信エリア情報記憶部から取得した前記現在地情報に対応する広告情報を、前記現在地情報を送信した前記移動端末に配信する配信広告判定部とを含み、
前記移動端末は、
前記移動端末の現在地情報を測位し前記配信サーバへ前記現在地情報を送信する現在地測位部と、
前記配信サーバから配信された前記広告情報を、前記広告情報内の表示エリアと前記広告情報の受信後に前記現在地測位部が測位した現在地情報とに基づき表示するか判定する広告表示判定部とを含むことを
を特徴とする情報配信システム。
【請求項２】
配信サーバは、配信エリア情報記憶部に保存されている情報を更新する配信エリア更新部を含む
請求項１に記載の情報配信システム。
【請求項３】
広告表示判定部は、表示すると判定した情報を配信サーバに送信する
請求項２に記載の情報配信システム。
【請求項４】
配信サーバは、配信広告判定部が配信した情報と、広告表示判定部が送信した情報とを保存する履歴情報記憶部を含む
請求項３に記載の情報配信システム。
【請求項５】
配信エリア更新部は、履歴情報記憶部に保存されている配信広告判定部が配信した情報と広告表示判定部が送信した情報とを基に、配信エリア情報記憶部に保存されている情報を更新する
請求項４に記載の情報配信システム。
【請求項６】
現在地情報を測位し、配信された広告情報を広告情報内の表示エリアと前記広告情報の受信後に測位した現在地情報とに基づき表示するか判定する移動端末と通信網を介して接続される配信サーバで実行される情報配信方法であって、
表示エリアを有する広告情報と、広告情報の表示エリアよりも広域である広告情報の配信領域とを対応付けて保存し、
前記移動端末から前記移動端末の現在地情報を受信し、
前記現在地情報に対応する前記広告情報を、前記現在地情報を送信した前記移動端末に配信する
ことを特徴とする情報配信方法。
【請求項７】
対応付けて保存されている表示エリアを有する広告情報と、広告情報の表示エリアよりも広域である広告情報の配信領域の情報を更新する
請求項６に記載の情報配信方法。
【請求項８】
現在地情報を測位し、配信された広告情報を広告情報内の表示エリアと前記広告情報の受信後に測位した現在地情報とに基づき表示するか判定する移動端末と通信網を介して接続される配信サーバに搭載される情報配信プログラムであって、
前記配信サーバに、
表示エリアを有する広告情報と、広告情報の表示エリアよりも広域である広告情報の配信領域とを対応付けて保存する保存処理、
前記移動端末から前記移動端末の現在地情報を受信する受信処理、
前記保存処理で保存した前記現在地情報に対応する広告情報を、前記受信処理で受信した前記現在地情報を送信した前記移動端末に配信する配信処理
を実行させるための情報配信プログラム。
【請求項９】
配信サーバに、
対応付けて保存されている表示エリアを有する広告情報と、広告情報の表示エリアよりも広域である広告情報の配信領域の情報を更新する更新処理を実行させる
請求項８に記載の情報配信プログラム。
【発明の詳細な説明】
【技術分野】
【０００１】
本発明は、情報配信システム、情報配信方法および情報配信プログラムに関する。
【背景技術】
【０００２】
近年、各種の施設が取り扱う商品の売上を伸ばすために、情報配信装置がネットワークを介して、不特定多数のユーザの移動端末に対して広告情報を一斉に配信する技術が知られている。移動端末は、例えば、携帯電話機やスマートフォン等である。【０００３】
スマートフォンなどの普及を背景に、携帯電話機や携帯端末によってインターネットを利用するユーザは増加している。そのため、携帯電話機やスマートフォン等は、広告媒体としての拡大が見込まれている。【０００４】
施設の商品の広告を示す広告情報を予め記録している情報配信装置がある。情報配信装置は、例えば、ユーザの携帯端末の現在位置に応じて、広告情報を配信するか否かを決定する。【０００５】
具体的には、情報配信装置は、広告の対象となる商品を取り扱う施設から一定範囲（例えば、施設から半径１０キロメートル）内に位置する携帯端末に対して、広告情報を配信する。すなわち、施設から一定範囲のエリアが、情報配信装置が広告情報を配信する配信エリアである。【０００６】
特許文献１には、配信エリア内に位置する移動端末に対して、施設が取り扱う商品の広告情報を配信する情報配信装置が記載されている。
【先行技術文献】
【特許文献】
【０００７】
【特許文献１】国際公開ＷＯ２００９／１２２４９８号公報
【発明の概要】
【発明が解決しようとする課題】
【０００８】
しかし、特許文献１に記載された情報配信装置は、情報を受信するユーザの位置によって、配信すべき情報を即時に配信できない場合がある。その理由は、情報配信に無線通信を用いる場合、無線通信には電波の不感地帯や、輻輳により通信が困難となる場所または時間帯が存在し、そのため、情報配信装置は、情報を配信したい時に常に無線通信を利用できるとは限らないためである。【０００９】
また、配信すべき情報が密集している地域が存在すると、その地域でユーザが無線通信を利用することが困難になる場合もある。その理由は、その地域にユーザが進入すると一度に多くの配信情報がユーザ端末に送信され、通信回線が長時間に渡って占有されてしまうためである。【００１０】
また、その地域に無線通信を利用する多くのユーザが存在する場合、輻輳が発生する可能性が高く、情報配信に関係のないユーザも無線通信を利用することが困難になる。【００１１】
そこで、本発明は、ユーザ端末に遅延なく確実に配信情報を表示することができる情報配信システム、情報配信方法および情報配信プログラムを提供することを目的とする。
【課題を解決するための手段】
【００１２】
本発明による情報配信システムは、配信サーバと、配信サーバと通信網を介して接続される移動端末とを含み、配信サーバは、表示エリアを有する広告情報と、広告情報の表示エリアよりも広域である広告情報の配信領域とを対応付けて保存する配信エリア情報記憶部と、移動端末から移動端末の現在地情報を受信し、配信エリア情報記憶部から取得した現在地情報に対応する広告情報を、現在地情報を送信した移動端末に配信する配信広告判定部とを含み、移動端末は、移動端末の現在地情報を測位し配信サーバへ現在地情報を送信する現在地測位部と、配信サーバから配信された広告情報を、広告情報内の表示エリアと広告情報の受信後に現在地測位部が測位した現在地情報とに基づき表示するか判定する広告表示判定部とを含むことを特徴とする。【００１３】
本発明による情報配信方法は、現在地情報を測位し、配信された広告情報を広告情報内の表示エリアと広告情報の受信後に測位した現在地情報とに基づき表示するか判定する移動端末と通信網を介して接続される配信サーバで実行される情報配信方法であって、表示エリアを有する広告情報と、広告情報の表示エリアよりも広域である広告情報の配信領域とを対応付けて保存し、移動端末から移動端末の現在地情報を受信し、現在地情報に対応する広告情報を、現在地情報を送信した移動端末に配信することを特徴とする情報配信方法。【００１４】
本発明による情報配信プログラムは、現在地情報を測位し、配信された広告情報を広告情報内の表示エリアと広告情報の受信後に測位した現在地情報とに基づき表示するか判定する移動端末と通信網を介して接続される配信サーバに搭載される情報配信プログラムであって、配信サーバに、表示エリアを有する広告情報と、広告情報の表示エリアよりも広域である広告情報の配信領域とを対応付けて保存する保存処理、移動端末から移動端末の現在地情報を受信する受信処理、保存処理で保存した現在地情報に対応する広告情報を、受信処理で受信した現在地情報を送信した移動端末に配信する配信処理を実行させることを特徴とする。
【発明の効果】
【００１５】
本発明によれば、ユーザ端末に遅延なく確実に配信情報を表示することができる。
【図面の簡単な説明】
【００１６】
【図１】本発明による情報配信システムの実施形態の構成例を示すシステム構成図である。
【図２】広告配信サーバ１０１の構成例を示すブロック図である。
【図３】広告情報記憶部１１１に保存されている広告の情報の一例を示す説明図である。
【図４】広告情報記憶部１１１に保存されている表示範囲と実際の地図上の範囲との対応関係を示す説明図である。
【図５】配信エリア情報記憶部１１２に保存されている配信エリアの情報の一例を示す説明図である。
【図６】配信エリア情報記憶部１１２に保存されているエリアＩＤと地図上の方眼との対応関係を示す説明図である。
【図７】配信エリア情報記憶部１１２に保存されている広告の表示エリアと配信エリアとの対応関係を示す説明図である。
【図８】配信履歴情報記憶部１１６に保存されている配信履歴の情報の一例を示す説明図である。
【図９】配信履歴情報記憶部１１６に保存されている配信履歴の情報の一例を示す説明図である。
【図１０】表示履歴情報記憶部１１８に保存されている表示履歴の情報の一例を示す説明図である。
【図１１】ユーザ端末２０１の構成例を示すブロック図である。
【図１２】受信広告記憶部２１２に保存されている広告の情報の一例を示す説明図である。
【図１３】受信広告記憶部２１２に保存されている広告の情報の一例を示す説明図である。
【図１４】通常時に広告配信サーバ１０１とユーザ端末２０１との間で実行される広告配信処理の動作を示すフローチャートである。
【図１５】通常時にユーザ端末２０１で実行される広告表示処理の動作を示すフローチャートである。
【図１６】地図上における配信エリアとユーザの進入実績の例を示す説明図である。
【図１７】ユーザ端末２０１の広告表示履歴の送信処理の動作を示すフローチャートである。
【図１８】配信エリア更新部１１９の配信エリア情報の更新処理の動作を示すフローチャートである。
【図１９】配信エリア更新部１１９の配信エリア情報の更新処理の例を示す説明図である。
【図２０】本発明による情報配信システムの概要を示すブロック図である。
【発明を実施するための形態】
【００１７】
以下、本発明の実施形態を図面を参照して説明する。図１は、本発明による情報配信システムの実施形態の構成例を示すシステム構成図である。図１に示す情報配信システム１００には、広告配信サーバ１０１と、ユーザ端末２０１とが含まれる。
【００１８】
図１には、広告配信サーバ１０１が、複数のユーザ端末２０１に、ネットワーク３０１を介して接続されている例が示されている。
【００１９】
広告配信サーバ１０１は、ユーザ端末２０１に対して広告データを配信する。広告配信サーバ１０１は、ユーザ端末２０１の所在地に応じて適切な広告情報を配信する。
【００２０】
ユーザ端末２０１は、通信機能と、端末を使用するユーザに広告を提示する機能を有する。ユーザ端末２０１は、例えば携帯電話機、スマートフォンおよび車載端末等である。
【００２１】
ユーザに広告を提示する方法として、ここでは画面上に広告のテキストや画像を表示する方法を例にする。なお、ユーザに広告を提示する方法として、音声やアラーム鳴動を用いる方法や、動画を表示する方法などもある。
【００２２】
本発明において、ユーザに広告を提示する方法は、特定の提示方法には限られない。ユーザに広告を提示する方法として、任意の提示方法が採用される。
【００２３】
ネットワーク３０１は、広告配信サーバ１０１とユーザ端末２０１とを通信可能に接続する。ネットワーク３０１は、ここでは携帯電話の通信網であるとする。携帯電話の通信網として、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等がある。
【００２４】
次に、広告配信サーバ１０１の構成を図２を参照して説明する。図２は、広告配信サーバ１０１の構成例を示すブロック図である。
【００２５】
図２に示す広告配信サーバ１０１は、広告情報記憶部１１１と、配信エリア情報記憶部１１２と、現在地受信部１１３と、配信広告判定部１１４と、広告配信部１１５と、配信履歴情報記憶部１１６と、表示履歴受信部１１７と、表示履歴情報記憶部１１８と、配信エリア更新部１１９とを含む。
【００２６】
広告情報記憶部１１１は、配信する広告の情報を保存する機能を有する。
【００２７】
広告情報記憶部１１１に保存されている広告の情報の一例を図３に示す。広告情報記憶部１１１に保存されている広告の情報は、広告を一意に特定する広告ＩＤと、ユーザ端末２０１に表示される表示内容と、広告を表示するエリアについての情報である表示範囲から構成される。
【００２８】
広告を表示するエリアとして、ここでは円形のエリアを想定するとする。広告情報記憶部１１１には、表示範囲として、中心の緯度経度と円の半径が保存されている。円の半径の単位はメートルである。
【００２９】
図３に示される広告情報の表示範囲を図４に示す。図４は、広告情報記憶部１１１に保存されている表示範囲と実際の地図上の範囲との対応関係を示す説明図である。
【００３０】
図３に示されるそれぞれの広告情報に対し、図４に示される地図上のそれぞれの円が対応している。例えば、図３に示される広告ＩＤ１の広告情報の表示範囲を地図上に示した範囲は、図４に示される「広告１」と記された円の内部となる。なお、図４に示される矩形は、建物を表している。
【００３１】
配信エリア情報記憶部１１２は、広告を配信するエリアの情報を保存する機能を有する。
【００３２】
配信エリア情報記憶部１１２に保存されている配信エリアの情報の一例を図５に示す。配信エリア情報記憶部１１２に保存されている配信エリアの情報は、エリアＩＤと、広告ＩＤから構成される。
【００３３】
エリアＩＤは、地図を東西方向および南北方向に一定間隔の境界線で区切った際に出来る、境界線に囲まれた一つの矩形（以下、矩形の内部を方眼という。）に対応するＩＤである。図５に示されるエリアＩＤと方眼との対応関係を図６に示す。
【００３４】
図６は、配信エリア情報記憶部１１２に保存されているエリアＩＤと地図上の方眼との対応関係を示す説明図である。図５に示されるそれぞれのエリアＩＤに対し、図６に示される地図上のそれぞれの方眼が対応している。例えば、図５に示されるエリアＩＤ１０５０の地図上の方眼は、図６に示される左から４列目、上から５行目の方眼となる。
【００３５】
ここで、広告情報記憶部１１１に保存されている広告の表示エリア情報を基に、機械的に配信エリアを決定する方法を説明する。図７は、配信エリア情報記憶部１１２に保存されている広告の表示エリアと配信エリアとの対応関係を示す説明図である。
【００３６】
図７に示す円４０１の内部は、広告ＩＤがＸである広告の表示エリアである。また、図７に示される一つ一つの方眼は、エリアＩＤが割り振られている一つ一つのエリアに対応する。
【００３７】
円４０１に対して、半径が２００メートル大きい円４０２が算出される。そして、縦線で示した、円４０２を包含するエリアの最小の集合を配信エリア４０３とする。
【００３８】
配信エリア４０３に属する全てのエリアに対して広告ＩＤがＸの広告が配信されるように、配信エリア情報記憶部１１２に広告ＩＤがＸ、エリアＩＤが配信エリア４０３に属するエリアのＩＤである行が追加される。
【００３９】
この処理を全ての広告に対して実行すると、配信エリア情報記憶部１１２の初期値が設定される。システムを動作させる準備として、配信エリア情報記憶部１１２には初期値が設定される必要がある。
【００４０】
配信エリア情報記憶部１１２への初期値の設定は、例えば、広告事業者が広告情報記憶部１１１に広告を登録した際に、広告登録インタフェース等のプログラムによって自動的に行われてもよい。
【００４１】
現在地受信部１１３は、ユーザ端末２０１から送信されるユーザ端末２０１の現在地（所在地）情報と、ユーザ端末２０１のＩＤであるユーザ端末ＩＤを受信する機能を有する。ユーザ端末２０１から現在地情報を受信すると、現在地受信部１１３は、受信した現在地情報と、現在地情報を送信したユーザ端末２０１のＩＤを、配信広告判定部１１４に出力する。
【００４２】
配信広告判定部１１４は、ユーザ端末２０１の現在地に対応して配信する広告情報を判定する機能を有する。
【００４３】
現在地受信部１１３から入力した現在地情報を基に、配信広告判定部１１４は、ユーザがどのエリアＩＤのエリアにいるか判定する。配信広告判定部１１４は、配信エリア情報記憶部１１２を参照して、判定したエリアＩＤに対応付けられた広告ＩＤの一覧を取得する。広告ＩＤの取得後、配信広告判定部１１４は、広告情報記憶部１１１を参照して、取得した広告ＩＤに対応付けられた広告情報を取得する。
【００４４】
広告情報の取得後、配信広告判定部１１４は、取得した広告情報の一覧と、現在地受信部１１３から入力したユーザ端末ＩＤを、広告配信部１１５に出力する。
【００４５】
広告配信部１１５は、ユーザ端末２０１に対して配信広告の一覧を配信する機能を有する。広告配信部１１５は、配信広告判定部１１４から広告情報の一覧とエリアＩＤおよびユーザ端末ＩＤを入力すると、ユーザ端末ＩＤに該当するユーザ端末２０１に対して広告情報の一覧およびエリアＩＤを送信する。
【００４６】
なお、エリアＩＤを送信する理由は、後述する配信エリア更新部１１９による配信エリア情報の更新処理で、ユーザ端末２０１が広告情報を受信した際のエリアのエリアＩＤが使用されるためである。
【００４７】
広告配信部１１５が該当のユーザ端末２０１に広告情報を配信すると、配信広告判定部１１４は、配信された広告の広告ＩＤとエリアＩＤを、配信日時とともに配信履歴情報記憶部１１６に保存する。
【００４８】
配信履歴情報記憶部１１６は、広告の配信履歴を保存する機能を有する。
【００４９】
配信履歴情報記憶部１１６に保存されている配信履歴の情報の一例を図８に示す。図８は、配信履歴情報記憶部１１６に保存されている配信履歴の情報の一例を示す説明図である。
【００５０】
配信履歴情報記憶部１１６に保存されている配信履歴の情報は、配信した日時である配信日時と、配信した時にユーザ端末２０１の存在したエリアのエリアＩＤと、配信した広告の広告ＩＤから構成される。
【００５１】
表示履歴受信部１１７は、配信された広告情報がユーザ端末２０１に表示された履歴を受信する機能を有する。広告情報の表示履歴は、ユーザ端末２０１の表示履歴送信部２１８から送信される。表示履歴受信部１１７は、受信した表示履歴を表示履歴情報記憶部１１８に出力する。
【００５２】
表示履歴情報記憶部１１８は、広告の表示履歴を保存する機能を有する。
【００５３】
表示履歴情報記憶部１１８に保存されている表示履歴の情報の一例を図１０に示す。図１０は、表示履歴情報記憶部１１８に保存されている表示履歴の情報の一例を示す説明図である。表示履歴情報記憶部１１８に保存されている表示履歴の情報は、ユーザ端末２０１に表示された広告の広告ＩＤと、配信されたエリアのエリアＩＤと、広告情報が表示された表示日時から構成される。
【００５４】
配信エリア更新部１１９は、広告の配信履歴と表示履歴を基に、配信エリアの情報を更新する機能を有する。
【００５５】
配信エリア更新部１１９は、配信履歴情報記憶部１１６と表示履歴情報記憶部１１８を参照して、広告の表示実績をエリアごとに算出する。算出後、配信エリア更新部１１９は、表示実績の低い広告を配信エリア情報記憶部１１２から削除する。
【００５６】
配信エリア更新部１１９は、配信エリアの情報を更新する処理を、週１回のように定期的に実行する。なお、配信エリア更新部１１９による配信エリア情報を更新する具体的な処理内容については後述する。
【００５７】
なお、本実施形態において配信広告判定部１１４および配信エリア更新部１１９は、例えば、プログラムに従って動作するＣＰＵ（Ｃｅｎｔｒａｌ  Ｐｒｏｃｅｓｓｉｎｇ  Ｕｎｉｔ）によって実現される。
【００５８】
また、現在地受信部１１３、広告配信部１１５および表示履歴受信部１１７は、プログラムに従って動作するＣＰＵと、ネットワークカード等の通信制御装置とによって実現される。
【００５９】
また、広告情報記憶部１１１、配信エリア情報記憶部１１２、配信履歴情報記憶部１１６と表示履歴情報記憶部１１８は、例えば、データベースシステムといった記憶装置とその記憶装置に対してアクセス制御を行う制御部とによって実現される。
【００６０】
次に、ユーザ端末２０１内の構成を図１１を参照して説明する。図１１は、ユーザ端末２０１の構成例を示すブロック図である。
【００６１】
図１１に示すユーザ端末２０１は、配信広告受信部２１１と、受信広告記憶部２１２と、現在地測位部２１３と、現在地送信部２１４と、広告表示判定部２１５と、広告表示部２１６と、広告表示履歴記憶部２１７と、表示履歴送信部２１８とを含む。
【００６２】
配信広告受信部２１１は、広告配信サーバ１０１から配信される広告情報とエリアＩＤを受信する機能を有する。配信広告受信部２１１は、受信した広告情報のリストとエリアＩＤを対応付けて、受信広告記憶部２１２に出力する。
【００６３】
受信広告記憶部２１２は、配信広告受信部２１１が受信した広告情報とエリアＩＤを対応付けて保存する機能を有する。
【００６４】
受信広告記憶部２１２に保存されている広告の情報の一例を図１２に示す。図１２は、受信広告記憶部２１２に保存されている広告の情報の一例を示す説明図である。受信広告記憶部２１２に保存されている広告の情報は、広告配信サーバ１０１側の広告情報と、ユーザ端末２０１が広告情報を受信した際のエリアＩＤから構成される。なお、図１３は、受信広告記憶部２１２に保存されている広告の情報の別の一例を示す説明図である。
【００６５】
ユーザ端末２０１は広告配信サーバ１０１側に比べて保持できるデータ量が少ないため、受信広告記憶部２１２に保存されている広告の情報は、保存された時期が古い順に削除される。また、同一の広告ＩＤの広告情報を入力した場合、受信広告記憶部２１２は、既存の広告の情報のエリアＩＤを、新しい広告の情報のエリアＩＤに上書きする。
【００６６】
現在地測位部２１３は、ユーザ端末２０１の現在地を一定時間ごとに測位する機能を有する。現在地測位部２１３は、ここではＧＰＳ（Ｇｌｏｂａｌ   Ｐｏｓｉｔｉｏｎｉｎｇ   Ｓｙｓｔｅｍ）を用いて現在地を測位するとする。
【００６７】
現在地測位部２１３が測位した結果は、現在地送信部２１４を介して広告配信サーバ１０１に送信される。また、現在地測位部２１３が測位した結果は、広告表示判定部２１５に出力され、広告の表示判定に用いられる。
【００６８】
現在地送信部２１４は、現在地測位部２１３が測位したユーザ端末２０１の現在地の情報とユーザ端末ＩＤを、広告配信サーバ１０１に送信する機能を有する。現在地送信部２１４は、現在地の情報を広告配信サーバ１０１に送信する処理を、１０秒間隔のように一定時間ごとに実行する。その結果、広告配信サーバ１０１に最新のユーザ端末２０１の現在地情報が通知される。
【００６９】
広告表示判定部２１５は、受信広告記憶部２１２に保存されている情報と、現在地測位部２１３が測位した現在地の情報とを用いて、ユーザ端末２０１に表示する広告を判定する機能を有する。
【００７０】
広告表示判定部２１５は、受信広告記憶部２１２から広告の表示範囲の情報を参照する。また、広告表示判定部２１５は、現在地測位部２１３から現在地の情報を参照する。参照したそれぞれの情報に基づいて現在地が表示範囲内にある場合に、広告表示判定部２１５は、該当する広告の表示内容を広告表示履歴記憶部２１７に保存する。
【００７１】
また、広告表示履歴記憶部２１７に保存すると同時に、広告表示判定部２１５は、表示する広告の内容を広告表示部２１６に通知する。
【００７２】
広告表示部２１６は、広告の表示内容を表示する機能を有する。広告表示部２１６は、広告表示判定部２１５より通知された表示内容をユーザ端末２０１の画面上に表示し、ユーザに広告を提示する。
【００７３】
広告表示履歴記憶部２１７は、広告表示履歴を保存する機能を有する。広告表示履歴記憶部２１７には、広告配信サーバ１０１の表示履歴情報記憶部１１８と同様に、図１０に示されるような広告の表示履歴が保存される。
【００７４】
表示履歴送信部２１８は、広告表示履歴を広告配信サーバ１０１に送信する機能を有する。
【００７５】
表示履歴送信部２１８は、広告表示履歴記憶部２１７から保存されている広告表示履歴を取得する。取得した後、表示履歴送信部２１８は、取得した広告表示履歴を広告配信サーバ１０１に対して送信する。送信が成功すると、表示履歴送信部２１８は、送信した広告表示履歴を広告表示履歴記憶部２１７から削除する。
【００７６】
表示履歴送信部２１８は、広告表示履歴の送信処理および削除処理を、例えば、一日に一度ユーザが端末を利用していない時間帯に自動的に実行する。
【００７７】
なお、本実施形態において現在地測位部２１３、広告表示判定部２１５および広告表示部２１６は、例えば、プログラムに従って動作するＣＰＵによって実現される。
【００７８】
また、配信広告受信部２１１、現在地送信部２１４および表示履歴送信部２１８は、プログラムに従って動作するＣＰＵと、無線インタフェースによって実現される。
【００７９】
また、受信広告記憶部２１２および広告表示履歴記憶部２１７は、例えば、フラッシュメモリ等の記憶媒体とその記憶媒体に対してアクセス制御を行う制御部とによって実現される。
【００８０】
以下、本発明の広告配信処理と広告表示処理の動作を、図１４と図１５を参照して説明する。図１４は、通常時に広告配信サーバ１０１とユーザ端末２０１との間で実行される広告配信処理の動作を示すフローチャートである。図１５は、通常時にユーザ端末２０１で実行される広告表示処理の動作を示すフローチャートである。
【００８１】
図１６は、地図上における配信エリアとユーザの進入実績の例を示す説明図である。図１６に示すように、左斜線部は広告ＩＤ１の、点線部は広告ＩＤ２の、右斜線部は広告ＩＤ３の広告の配信エリアをそれぞれ示す。また、縦線部は広告ＩＤ１と広告ＩＤ２の、格子部は広告ＩＤ２と広告ＩＤ３の、横線部は広告ＩＤ３と広告ＩＤ１の広告の配信エリアをそれぞれ示す。黒色部は、広告ＩＤ１と広告ＩＤ２と広告ＩＤ３の広告の配信エリアを示す。
【００８２】
また、図１６における進入実績１１００に示すように、ユーザは、エリアＩＤ１０５０、エリアＩＤ１０５１にそれぞれ対応するエリアを順に進んだ後、広告１の表示エリアに進入したとする。このときの広告配信サーバ１０１およびユーザ端末２０１の動作について、図１４と図１５を参照して説明する。
【００８３】
まず、広告配信処理を実行する時の広告配信サーバ１０１とユーザ端末２０１の動作について、図１４を参照して説明する。
【００８４】
ユーザ端末２０１のＩＤが１０である端末を保持するユーザが、エリアＩＤ１０５０に対応するエリアに進入したとする。このとき、現在地測位部２１３は、エリアＩＤ１０５０に対応するユーザ端末２０１の現在地を測位する（ステップＳ５０１）。現在地測位部２１３は、測位した結果を現在地送信部２１４へ出力する。
【００８５】
現在地送信部２１４は、エリアＩＤ１０５０に対応するユーザ端末２０１の現在地の情報とユーザ端末ＩＤ１０を、ネットワーク３０１を介して広告配信サーバ１０１へ送信する（ステップＳ５０２）。
【００８６】
現在地受信部１１３は、送信されたエリアＩＤ１０５０に対応するユーザ端末２０１の現在地の情報とユーザ端末ＩＤ１０を受信する（ステップＳ５０３）。受信した後、現在地受信部１１３は、受信した情報を配信広告判定部１１４へ出力する。
【００８７】
現在地受信部１１３から入力した現在地情報を基に、配信広告判定部１１４は、ユーザ端末ＩＤ１０に対応するユーザがどのエリアＩＤのエリアにいるか判定する（ステップＳ５０４）。ここでは、配信広告判定部１１４は、ユーザがエリアＩＤ１０５０のエリアにいると判定する。
【００８８】
判定した後、配信広告判定部１１４は、配信エリア情報記憶部１１２を参照して、エリアＩＤ１０５０に対応付けられた広告ＩＤの一覧を取得する（ステップＳ５０５）。図５を参照すると、エリアＩＤ１０５０に対応付けられた広告ＩＤは、広告ＩＤ１と広告ＩＤ２の２つである。よって、広告ＩＤ１と広告ＩＤ２の２つの広告ＩＤが取得される。
【００８９】
広告ＩＤの取得後、配信広告判定部１１４は、広告情報記憶部１１１を参照して、取得した広告ＩＤ１と広告ＩＤ２に対応付けられた広告情報を取得する（ステップＳ５０６）。広告情報の取得後、配信広告判定部１１４は、取得した広告情報の一覧と、ユーザ端末ＩＤ１０を、広告配信部１１５に出力する。
【００９０】
配信広告判定部１１４から広告ＩＤ１と広告ＩＤ２に対応する広告情報の一覧と、エリアＩＤ１０５０およびユーザ端末ＩＤ１０を入力すると、広告配信部１１５は、ユーザ端末ＩＤ１０に該当するユーザ端末２０１に対して、広告情報の一覧およびエリアＩＤ１０５０を配信する（ステップＳ５０７）。
【００９１】
広告配信部１１５が広告情報を配信すると、配信広告判定部１１４は、配信された広告情報の広告ＩＤである広告ＩＤ１および広告ＩＤ２とエリアＩＤ１０５０を、配信日時とともに配信履歴情報記憶部１１６に保存する（ステップＳ５０８）。
【００９２】
このとき、配信履歴情報記憶部１１６に保存される情報は、図８に示すように、配信日時と広告ＩＤ１とエリアＩＤ１０５０、および配信日時と広告ＩＤ２とエリアＩＤ１０５０が対応付けられた内容である。
【００９３】
ユーザ端末ＩＤが１０であるユーザ端末２０１内の配信広告受信部２１１は、広告配信サーバ１０１から配信される広告情報の一覧およびエリアＩＤ１０５０を受信する（ステップＳ５０９）。受信した後、配信広告受信部２１１は、受信した広告情報の一覧とエリアＩＤ１０５０を対応付けて、受信広告記憶部２１２に出力する。
【００９４】
受信広告記憶部２１２は、配信広告受信部２１１から入力した広告情報の一覧とエリアＩＤを保存する（ステップＳ５１０）。このとき、受信広告記憶部２１２に保存される情報は、図１２に示すように、広告ＩＤ１と広告ＩＤ２の広告情報に、エリアＩＤ１０５０が対応付けられた内容である。
【００９５】
次に、上記の状態から広告表示処理を実行する時のユーザ端末２０１の動作について、図１５を参照して説明する。
【００９６】
受信広告記憶部２１２に広告情報が保存されると、広告表示判定部２１５は、受信広告記憶部２１２から広告の表示範囲を、現在地測位部２１３から現在地の情報を参照する（ステップＳ６０１）。参照した２つの情報を基に、広告表示判定部２１５は、ユーザが広告の表示エリア内に存在するか否か判定する（ステップＳ６０２）。
【００９７】
ユーザはまだエリアＩＤ１０５０に対応するエリアに存在し、広告ＩＤ１および広告ＩＤ２の表示エリア内にはいないので（ステップＳ６０２のＮｏ）、広告表示判定部２１５は広告表示部２１６に通知を行わない。
【００９８】
次に、ユーザはエリアＩＤ１０５１に対応するエリアに移動する。この場合もエリアＩＤ１０５０の時と同様に、現在地送信部２１４は、エリアＩＤ１０５１に相当するユーザ端末２０１の現在地の情報とユーザ端末ＩＤ１０を、ネットワーク３０１を介して広告配信サーバ１０１へ送信する（ステップＳ５０２）。
【００９９】
現在地受信部１１３は、送信されたエリアＩＤ１０５１に対応するユーザ端末２０１の現在地の情報とユーザ端末ＩＤ１０を受信する（ステップＳ５０３）。配信広告判定部１１４は、現在地受信部１１３から入力した現在地情報を基に、ユーザがエリアＩＤ１０５１のエリアにいると判定する（ステップＳ５０４）。
【０１００】
次いで、配信広告判定部１１４は、配信エリア情報記憶部１１２を参照して、エリアＩＤ１０５１に対応付けられた広告ＩＤの一覧を取得する（ステップＳ５０５）。図５を参照すると、エリアＩＤ１０５１に対応付けられた広告ＩＤは広告ＩＤ１のみであるため、広告ＩＤ１の広告ＩＤが取得される。
【０１０１】
広告ＩＤの取得後、配信広告判定部１１４は、広告情報記憶部１１１を参照して、取得した広告ＩＤ１に対応付けられた広告情報を取得する（ステップＳ５０６）。
【０１０２】
広告情報の取得後、配信広告判定部１１４は、取得した広告情報の一覧と、ユーザ端末ＩＤ１０を、広告配信部１１５に出力する。広告配信部１１５は、ユーザ端末ＩＤ１０に該当するユーザ端末２０１に対して、広告情報の一覧およびエリアＩＤ１０５１を配信する（ステップＳ５０７）。
【０１０３】
広告配信部１１５が配信すると、配信広告判定部１１４は、配信された広告情報の広告ＩＤである広告ＩＤ１とエリアＩＤ１０５１を、配信日時とともに配信履歴情報記憶部１１６に保存する（ステップＳ５０８）。このとき、配信履歴情報記憶部１１６に保存される情報には、図９に示すように、配信日時と広告ＩＤ１とエリアＩＤ１０５１が対応付けられた内容が新たに追加される。
【０１０４】
ユーザ端末ＩＤが１０であるユーザ端末２０１内の配信広告受信部２１１は、広告配信サーバ１０１から配信される広告情報の一覧およびエリアＩＤ１０５１を受信する（ステップＳ５０９）。受信した後、配信広告受信部２１１は、受信した広告情報の一覧とエリアＩＤ１０５１を対応付けて、受信広告記憶部２１２に出力する。
【０１０５】
受信広告記憶部２１２は、配信広告受信部２１１から入力した広告情報の一覧とエリアＩＤを保存する（ステップＳ５１０）。同一の広告ＩＤの広告情報を入力した場合、受信広告記憶部２１２は、広告ＩＤ１の既存の広告の情報のエリアＩＤ１０５０を、広告ＩＤ１の新しい広告の情報のエリアＩＤ１０５１に上書きする。
【０１０６】
よって、受信広告記憶部２１２に保存される情報は、図１３に示すように、広告ＩＤ１の広告情報にエリアＩＤ１０５１が対応付けられた内容と、広告ＩＤ２の広告情報にエリアＩＤ１０５０が対応付けられた内容となる。
【０１０７】
上述のように広告配信処理が繰り返し実行されることで、ユーザの現在地情報が広告配信サーバ１０１に伝達され、適切な広告情報がユーザ端末２０１に配信される。
【０１０８】
エリアＩＤ１０５０の時と同様、広告表示判定部２１５は、広告の表示範囲と現在地の情報を参照し（ステップＳ６０１）、ユーザが広告の表示エリア内に存在するか否か判定する（ステップＳ６０２）。ユーザはまだエリアＩＤ１０５１に対応するエリアにおり、広告ＩＤ１および広告ＩＤ２の表示エリア内にはいないので（ステップＳ６０２のＮｏ）、広告表示判定部２１５は広告表示部２１６に通知を行わない。
【０１０９】
その後、ユーザは広告ＩＤ１の表示エリアに進入する。このとき、広告表示判定部２１５は、現在地測位部２１３から参照した現在地の情報に基づき、ユーザが広告ＩＤ１の表示エリアに相当するエリア内に存在するか否か判定する（ステップＳ６０２）。
【０１１０】
ユーザがエリア内に存在すると判定した場合（ステップＳ６０２のＹｅｓ）、広告表示判定部２１５は、受信広告記憶部２１２から取得した広告ＩＤ１の広告の表示内容を、広告表示履歴記憶部２１７に保存する（ステップＳ６０３）。広告表示履歴記憶部２１７に保存される情報は、図１０に示すように、広告ＩＤ１とエリアＩＤ１０５０と表示日時が対応付けられた内容となる。
【０１１１】
広告表示履歴記憶部２１７に保存すると同時に、広告表示判定部２１５は、広告表示部２１６に広告ＩＤ１の広告の表示内容を通知する（ステップＳ６０４）。
【０１１２】
広告表示部２１６は、広告表示判定部２１５より通知された広告ＩＤ１の広告の表示内容をユーザ端末２０１の画面上に表示し、ユーザに広告を提示する（ステップＳ６０５）。広告表示部２１６は、通知された広告を端末の画面上に表示する、音声で読み上げる等の適切な方法でユーザに提示する。
【０１１３】
その後、ユーザは広告ＩＤ１の表示エリアを通過し、広告ＩＤ２の表示エリアには進入しない。よって、受信広告記憶部２１２に保存された広告ＩＤ２の広告情報とエリアＩＤ１０５０が対応付けられた情報は、ユーザ端末２０１に表示されない。一定時間経過後、広告ＩＤ２の広告情報とエリアＩＤ１０５０が対応付けられた情報は、受信広告記憶部２１２から削除される。
【０１１４】
次に、ユーザが図１６に示す進入実績をとった後に、ユーザ端末２０１が広告配信サーバ１０１に広告表示履歴を送信するときの動作を、図１７を参照して説明する。図１７は、ユーザ端末２０１の広告表示履歴の送信処理の動作を示すフローチャートである。
【０１１５】
本実施形態では、ユーザが端末を利用していない時間帯に、ユーザ端末２０１内の表示履歴送信部２１８は、広告表示履歴の送信処理および削除処理を実行する。表示履歴送信部２１８は、保存された広告表示履歴を広告表示履歴記憶部２１７から取得する（ステップＳ７０１）。
【０１１６】
また、表示履歴送信部２１８は、取得した広告表示履歴を広告配信サーバ１０１に対して送信する（ステップＳ７０２）。
【０１１７】
送信が成功すると（ステップＳ７０３のＹｅｓ）、表示履歴送信部２１８は、送信した広告表示履歴を広告表示履歴記憶部２１７から削除する（ステップＳ７０４）。送信が失敗すると（ステップＳ７０３のＮｏ）、表示履歴送信部２１８は、再度送信を試みる（ステップＳ７０２）。
【０１１８】
表示履歴受信部１１７は、表示履歴送信部２１８から送信された広告表示履歴を受信する（ステップＳ７０５）。表示履歴受信部１１７は、受信した広告表示履歴を表示履歴情報記憶部１１８に出力する。
【０１１９】
表示履歴情報記憶部１１８は、入力した広告表示履歴を保存する（ステップＳ７０６）。表示履歴情報記憶部１１８に保存される情報は、図１０に示すように、広告ＩＤ１とエリアＩＤ１０５０と表示日時とが対応付けられた内容である。
【０１２０】
次に、配信エリア更新部１１９が配信エリアの情報を更新するときの動作を、図１８を参照して説明する。図１８は、配信エリア更新部１１９の配信エリア情報の更新処理の動作を示すフローチャートである。
【０１２１】
配信エリア更新部１１９は、配信履歴情報記憶部１１６を参照して、配信履歴のあるエリアＩＤの一覧を取得する（ステップＳ８０１）。このとき、配信エリア更新部１１９は、配信履歴情報のうち、前回の配信エリア更新処理の実行時から更新された履歴情報のみを対象としてエリアＩＤの一覧を取得する。
【０１２２】
配信エリア更新部１１９は、取得したエリアＩＤの一覧の中に未更新のエリアＩＤが存在するか否か確認する（ステップＳ８０２）。未更新のエリアＩＤが存在しない場合（ステップＳ８０２のＮｏ）、配信エリア更新部１１９は処理を終了する。
【０１２３】
未更新のエリアＩＤが存在する場合（ステップＳ８０２のＹｅｓ）、配信エリア更新部１１９は、取得したエリアＩＤの一覧から未更新のエリアＩＤを１つ取り出す（ステップＳ８０３）。
【０１２４】
配信エリア更新部１１９は、再度配信履歴情報記憶部１１６を参照して、取り出した１つのエリアＩＤに対し、配信履歴のある広告ＩＤの一覧を取得する（ステップＳ８０４）。エリアＩＤの一覧と同様に広告ＩＤについても、前回の配信エリア更新処理の実行時から更新された履歴情報のみを対象として、広告ＩＤの一覧を取得する。
【０１２５】
配信エリア更新部１１９は、取得した広告ＩＤの一覧の中に未判定の広告ＩＤが存在するか否か確認する（ステップＳ８０５）。未判定の広告ＩＤが存在しない場合（ステップＳ８０５のＮｏ）、配信エリア更新部１１９は、ステップＳ８０２に戻り、次の未更新エリアＩＤに対して処理を実行する。
【０１２６】
未判定の広告ＩＤが存在する場合（ステップＳ８０５のＹｅｓ）、配信エリア更新部１１９は、取得した広告ＩＤの一覧から未判定の広告ＩＤを１つ取り出す（ステップＳ８０６）。
【０１２７】
配信エリア更新部１１９は、配信履歴情報記憶部１１６を参照して、取り出した１つのエリアＩＤと１つの広告ＩＤに対応する配信履歴から、広告の配信数を算出する（ステップＳ８０７）。算出の対象とする履歴情報は、前回の配信エリア更新処理の実行時から更新された履歴情報のみとする。
【０１２８】
配信エリア更新部１１９は、広告の配信数と同様に、表示履歴情報記憶部１１８を参照して、取り出した１つのエリアＩＤと１つの広告ＩＤに対応する表示履歴から、広告の表示回数を算出する（ステップＳ８０８）。算出の対象とする履歴情報は、前回の配信エリア更新処理の実行時から更新された履歴情報のみとする。
【０１２９】
配信エリア更新部１１９は、ステップＳ８０８で算出した表示回数を、ステップＳ８０７で算出した配信数で割ることで、表示率を算出する（ステップＳ８０９）。
【０１３０】
表示率を算出後、配信エリア更新部１１９は、算出した表示率が閾値以下であるかどうかを判定する（ステップＳ８１０）。閾値は、例えば１０％等である。
【０１３１】
算出した表示率が閾値よりも大きい場合（ステップＳ８１０のＮｏ）、配信エリア更新部１１９は、特に処理を行わずにステップＳ８０５に戻り、次の未判定広告ＩＤに対して処理を継続する。
【０１３２】
算出した表示率が閾値以下である場合（ステップＳ８１０のＹｅｓ）、配信エリア更新部１１９は、配信エリア情報記憶部１１２に保存されている、取り出した１つのエリアＩＤと１つの広告ＩＤに対応する配信エリア情報を削除する（ステップＳ８１１）。
【０１３３】
配信エリア情報を削除後、配信エリア更新部１１９は、ステップＳ８０５に戻り、次の未判定広告ＩＤに対して処理を実行する。配信エリア更新部１１９は、未更新エリアＩＤおよび未判定広告ＩＤが無くなるまで更新処理を行い、未更新エリアＩＤが無くなると処理を終了する。
【０１３４】
ステップＳ８０９で算出した表示率が低いということは、対象のエリアＩＤのエリアを通過しているユーザは、対象の広告ＩＤの広告を表示するように設定されている地域へ移動することが少ないということを意味している。よって、対象のエリアＩＤのエリアを通過しているユーザに、対象の広告ＩＤの広告を配信しても意味が無い可能性が高いということになる。
【０１３５】
以上の更新処理を繰り返すことで、広告の配信エリアは、事前配信の効果がある範囲にまで縮小される。一方で、配信エリアは表示エリアより小さくなることは無いため、配信エリアが縮小されても広告が配信されないということは無い。
【０１３６】
更新処理の具体例を、図１６に示す地図上におけるユーザの進入実績の例を用いて説明する。上述のように、あるユーザがエリアＩＤ１０５０に対応するエリアにいる時、ユーザ端末２０１には、広告ＩＤ１と広告ＩＤ２の広告情報が配信される。その後、ユーザが１１００で示されるルートで移動したとすると、ユーザ端末２０１には広告１のみが表示されることになる。
【０１３７】
多くのユーザがこのような経路を取ったとすると、エリアＩＤ１０５０と広告ＩＤ２との組に対応する表示率が閾値以下となる。よって、配信エリア更新部１１９は、エリアＩＤ１０５０に対応するエリアに存在するユーザに、広告ＩＤ２に対応する広告情報を配信しても意味がないと判断する。
【０１３８】
判断した後、配信エリア更新部１１９は、配信エリア情報記憶部１１２に保存されている、エリアＩＤ１０５０と広告ＩＤ２に対応する配信エリア情報を削除する。よって、図１９に示すように、エリアＩＤ１０５０に対応するエリアに存在するユーザに配信される広告情報は、広告ＩＤ１と広告ＩＤ２とに対応する広告情報から、広告ＩＤ１に対応する広告情報のみへと変更になる。
【０１３９】
本実施形態の情報配信システムを使用した場合、情報を表示するタイミングをユーザ端末側でローカルに判定できるようになり、ネットワークを介したサーバ側での判定に比べ、ユーザの移動に対してリアルタイムな判定が可能となる。
【０１４０】
その理由は、情報を表示する範囲とは別に情報を配信する範囲を設定し、表示する範囲より広い範囲で情報が配信されるようにしているため、配信条件をサーバ側で随時判定すると、表示条件の成立より前にサーバがユーザ端末に情報を配信し、ユーザが実際に表示する範囲に進入するより前に情報を受取ることが可能になるためである。
【０１４１】
また、本実施形態の情報配信システムは、配信範囲が広くなることで発生する余分な配信を、過去の配信履歴と表示履歴を基に削除する機能も備えている。
【０１４２】
本実施形態の情報配信システムを使用した場合、配信情報の集中している地域でも無線通信の輻輳を回避することができる。その理由は、通信するタイミングを、ユーザが配信情報を表示するエリアに存在している時ではなく、その周囲のエリアにいる時に広げることで、情報を配信するための無線通信を隣接する基地局に負荷分散できる可能性が高まるためである。
【０１４３】
次に、本発明の概要を説明する。図２０は、本発明による情報配信システムの概要を示すブロック図である。本発明による情報配信システム１は、配信サーバ２（例えば、広告配信サーバ１０１）と、配信サーバ２と通信網を介して接続される移動端末５（例えば、ユーザ端末２０１）とを含む。
【０１４４】
配信サーバ２は、表示エリアを有する広告情報と、広告情報の表示エリアよりも広域である広告情報の配信領域とを対応付けて保存する配信エリア情報記憶部３（例えば、配信エリア情報記憶部１１２）と、移動端末５から移動端末５の現在地情報を受信し、配信エリア情報記憶部３から取得した現在地情報に対応する広告情報を、現在地情報を送信した移動端末５に配信する配信広告判定部４（例えば、配信広告判定部１１４）とを含む。
【０１４５】
移動端末５は、移動端末５の現在地情報を測位し配信サーバ２へ現在地情報を送信する現在地測位部６（例えば、現在地測位部２１３）と、配信サーバ２から配信された広告情報を、広告情報内の表示エリアと広告情報の受信後に現在地測位部６が測位した現在地情報とに基づき表示するか判定する広告表示判定部７（例えば、広告表示判定部２１５）とを含む。
【０１４６】
そのような構成により、この情報伝達システムに備えられている移動端末を使用する場合、使用するユーザは、移動端末における配信情報の提示を遅延なく確実に受けることができる。
【０１４７】
また、配信サーバ２は、配信エリア情報記憶部３に保存されている情報を更新する配信エリア更新部を含んでいてもよい。
【０１４８】
また、広告表示判定部７は、表示すると判定した情報を配信サーバ２に送信してもよい。
【０１４９】
また、配信サーバ２は、配信広告判定部４が配信した情報と、広告表示判定部７が送信した情報とを保存する履歴情報記憶部を含んでいてもよい。
【０１５０】
また、配信エリア更新部は、履歴情報記憶部に保存されている配信広告判定部４が配信した情報と広告表示判定部７が送信した情報とを基に、配信エリア情報記憶部３に保存されている情報を更新してもよい。
【０１５１】
この出願は、２０１２年１２月２７日に出願された日本特許出願２０１２−２８５２３９を基礎とする優先権を主張し、その開示の全てをここに取り込む。
【０１５２】
以上、実施形態を参照して本願発明を説明したが、本願発明は上記の実施形態に限定されるものではない。本願発明の構成や詳細には、本願発明のスコープ内で当業者が理解し得る様々な変更をすることができる。
【産業上の利用の可能性】
【０１５３】
本発明は、カーナビゲーションシステムやスマートフォン向けに広告配信サービスを行う情報配信システムに好適に適用される。
【符号の説明】
【０１５４】
１、１００  情報配信システム
２  配信サーバ
３  配信エリア情報記憶部
４  配信広告判定部
５  移動端末
６  現在地測位部
７  広告表示判定部
１０１  広告配信サーバ
１１１  広告情報記憶部
１１２  配信エリア情報記憶部
１１３  現在地受信部
１１４  配信広告判定部
１１５  広告配信部
１１６  配信履歴情報記憶部
１１７  表示履歴受信部
１１８  表示履歴情報記憶部
１１９  配信エリア更新部
２０１  ユーザ端末
２１１  配信広告受信部
２１２  受信広告記憶部
２１３  現在地測位部
２１４  現在地送信部
２１５  広告表示判定部
２１６  広告表示部
２１７  広告表示履歴記憶部
２１８  表示履歴送信部
３０１  ネットワーク
【図１】
2014103213.tif 000003
【図２】
2014103213.tif 000004
【図３】
2014103213.tif 000005
【図４】
2014103213.tif 000006
【図５】
2014103213.tif 000007
【図６】
2014103213.tif 000008
【図７】
2014103213.tif 000009
【図８】
2014103213.tif 000010
【図９】
2014103213.tif 000011
【図１０】
2014103213.tif 000012
【図１１】
2014103213.tif 000013
【図１２】
2014103213.tif 000014
【図１３】
2014103213.tif 000015
【図１４】
2014103213.tif 000016
【図１５】
2014103213.tif 000017
【図１６】
2014103213.tif 000018
【図１７】
2014103213.tif 000019
【図１８】
2014103213.tif 000020
【図１９】
2014103213.tif 000021
【図２０】
2014103213.tif 000022
【国際調査報告】
2014103213.tif 000023
2014103213.tif 000024